(57)【要約】      （修正有）【課題】電力線の相間の絶縁抵抗の測定が行える絶縁抵抗測定装置を提供する。【解決手段】導体からなる接続装置１０１が電力線と第１接地線１０４ａ〜１０４ｄとを接続し、且つ電力線の相間の絶縁抵抗を測定するために、接地電路切替装置１０３が第１接地線１０４ａ〜１０４ｄと大地との間を開放している状態において、接続装置１０１から分岐された複数の測定線１０５ａ〜１０５ｃと測定線１０５ａ〜１０５ｃの接続先である絶縁抵抗を測定する測定装置１０７との間にあって、測定線１０５ａ〜１０５ｃのうち二本を選択的に測定装置１０７と接続する測定電路切替装置１０６と、測定装置１０７から出力される測定結果を取得し、測定結果を出力する入出力装置１０８と、を備えている。【選択図】図２
2018091811.tif 000002
【特許請求の範囲】
【請求項１】
導体からなる接続装置が電力線と第１接地線とを接続し、且つ前記電力線の相間の絶縁抵抗を測定するために、接地電路切替装置が前記第１接地線と大地との間を開放している状態において、前記接続装置から分岐された複数の測定線と前記測定線の接続先である絶縁抵抗を測定する測定装置との間にあって、前記測定線のうち二本を選択的に前記測定装置と接続する測定電路切替装置と、
前記測定装置から出力される測定結果を取得し、前記測定結果を出力する入出力装置と、
を備えていることを特徴とする絶縁抵抗測定装置。
【請求項２】
前記測定電路切替装置は、第２接地線を有し、前記電力線の相間の絶縁抵抗を測定しない場合、前記電力線の対地間の絶縁抵抗を測定するために、前記測定線のうち一本を選択的に前記測定装置と接続し、前記第２接地線を前記測定装置と接続する
ことを特徴とする請求項１に記載の絶縁抵抗測定装置。
【請求項３】
前記接続装置は、一部に絶縁体を有し、前記接続装置を支持する大地に接地されている導電性の支持部材と前記接続装置とが前記絶縁体で絶縁された状態において、前記第１接地線を介して前記接続装置の導体部が前記接地電路切替装置と接続される
ことを特徴とする請求項１又は請求項２に記載の絶縁抵抗測定装置。
【請求項４】
前記入出力装置から出力される前記測定結果に基づき前記電力線の相間及び対地間が絶縁されているか否かを判定する演算制御装置を
さらに備えることを特徴とする請求項２又は請求項３に記載の絶縁抵抗測定装置。
【発明の詳細な説明】
【技術分野】
【０００１】
本発明は、絶縁抵抗測定装置に関する。
【背景技術】
【０００２】
例えば、電力系統の事故復旧時に電力系統の健全性を確認する絶縁抵抗測定装置が知られている。（例えば特許文献１）。
【先行技術文献】
【特許文献】
【０００３】
【特許文献１】特開２０１３−２９４７９号公報
【発明の概要】
【発明が解決しようとする課題】
【０００４】
特許文献１に係る絶縁抵抗測定装置は、遠隔において、電力線と対地間との絶縁抵抗は測定できる。しかし、特許文献１に係る絶縁抵抗測定装置では、電力線の相間の絶縁抵抗を測定できない。よって、短絡事故等の復旧の際に、未だ電力線の相間の絶縁が確保されていない状況において試充電をしてしまい、機器の損傷を引き起こす虞があった。
【課題を解決するための手段】
【０００５】
前述した課題を解決する主たる本発明は、導体からなる接続装置が電力線と第１接地線とを接続し、且つ前記電力線の相間の絶縁抵抗を測定するために、接地電路切替装置が前記第１接地線と大地との間を開放している状態において、前記接続装置から分岐された複数の測定線と前記測定線の接続先である絶縁抵抗を測定する測定装置との間にあって、前記測定線のうち二本を選択的に前記測定装置と接続する測定電路切替装置と、前記測定装置から出力される測定結果を取得し、前記測定結果を出力する入出力装置と、を備えていることを特徴とする。
【０００６】
本発明の他の特徴については、添付図面及び本明細書の記載により明らかとなる。
【発明の効果】
【０００７】
本発明によれば、試充電を行う前に、操作員またはオペレータが遠隔で電力系統の絶縁抵抗を測定し、絶縁状態を把握することで迅速かつ確実に試充電を行うことができる。
【図面の簡単な説明】
【０００８】
【図１】本実施形態に係る絶縁抵抗測定装置が用いられる電力系統を示す図である。
【図２】本実施形態に係る絶縁抵抗測定装置を示す図である。
【図３】本実施形態に係る絶縁抵抗測定装置の操作手順を示すフローチャートである。
【発明を実施するための形態】
【０００９】
本明細書および添付図面の記載により、少なくとも以下の事項が明らかとなる。なお、図１〜図３において、同一の部材については同一の数字を付して説明する。また、図１、図２に示す電力系統２００及び絶縁抵抗測定装置１００の構成は、本実施形態に係る絶縁抵抗測定装置１００の説明を容易に理解するための一例である。本実施形態に係る絶縁抵抗測定装置１００を用いて、図１、図２の電力系統２００とは異なる構成の電力系統２００の絶縁抵抗を測定することも可能である。
【００１０】
尚、図３に示すフローチャートは、本実施形態に係る絶縁抵抗測定装置１００の説明を容易に理解するための一例である。本実施形態に係る絶縁抵抗測定装置１００を用いて、図３のフローチャートとは異なる手順によって電力系統２００の絶縁抵抗を測定することも可能である。
【００１１】
＝＝＝絶縁抵抗測定装置１００＝＝＝
図１、図２を参照しつつ、電力系統２００における絶縁抵抗測定装置１００について説明する。図１は、本実施形態に係る絶縁抵抗測定装置１００が用いられる電力系統２００を示す図である。図２は、本実施形態に係る絶縁抵抗測定装置１００を示す図である。
【００１２】
図１に示すように、電力系統２００は、電力線２０３ａ〜２０３ｃ、断路器２０４ａ〜２０４ｃ、碍子２０５ａ〜２０５ｃ及び架台２０６等を含んで構成されている。電力線２０３ａ〜２０３ｃは、例えば、特別高圧又は高圧で使用可能な程度の断面積を有し、被覆を施した銅線または裸線である。断路器２０４ａ〜２０４ｃは、電力線２０３ａ〜２０３ｃを開放又は接続する装置であり、例えば、回動部（不図示）を有する導体で構成されている。碍子２０５ａ〜２０５ｃは、例えば、断路器２０４ａ〜２０４ｃと架台２０６とを絶縁する絶縁性の磁器で構成されている。架台２０６は、例えば、導電性のＬ型及びＨ型の鋼製部材からなり、大地面２０１との接触部にコンクリート製の基礎を有し、電力線２０３ａ〜２０３ｃ、断路器２０４ａ〜２０４ｃ及び碍子２０５ａ〜２０５ｃ等を支持するものである。
【００１３】
絶縁抵抗測定装置１００は、特別高圧又は高圧の電力系統２００における絶縁抵抗を測定する装置である。測定する絶縁抵抗は、夫々の電力線２０３ａ〜２０３ｃの間の絶縁抵抗を示す相間絶縁抵抗、夫々の電力線２０３ａ〜２０３ｃと大地面２０１との間の絶縁抵抗を示す対地間絶縁抵抗をいう。相間絶縁抵抗とは、例えば、電力線２０３ａと電力線２０３ｂとの間の絶縁抵抗をいう。具体的には、例えば、電力線２０３ａと電力線２０３ｂとの絶縁抵抗が無限大に近い場合、電力線２０３ａと電力線２０３ｂとは絶縁が保たれており、絶縁抵抗がゼロに近い場合、電力線２０３ａと電力線２０３ｂとは短絡していることを示す。対地間絶縁とは、例えば、電力線２０３ａと大地面２０１との間の絶縁抵抗をいう。具体的には、例えば電力線２０３ａと大地面２０１との絶縁抵抗が無限大に近い場合、電力線２０３ａと大地面２０１とは絶縁が保たれており、絶縁抵抗がゼロに近い場合、電力線２０３ａから大地面２０１に電流が流れる、所謂地絡していることを示す。
【００１４】
図２に示すように、絶縁抵抗測定装置１００は、例えば、接続装置１０１、操作装置１０２、接地電路切替装置１０３、第１接地線１０４ａ〜１０４ｄおよび第２接地線１０４ｅ、測定線１０５ａ〜１０５ｃ、測定電路切替装置１０６、測定装置１０７、入出力装置１０８、演算制御装置１０９、記憶装置１１０及び収容架１１１を含んで構成されている。
【００１５】
接続装置１０１は、短絡事故、地絡事故又は点検後の復旧作業終了時において、絶縁抵抗を測定するために電力線２０３ａ〜２０３ｃと後述する第１接地線１０４ａ〜１０４ｃとを接続する装置である。図１に示すように、接続装置１０１は、例えば、接続棒１０１ａ、接続固定部１０１ｂ、絶縁体１０１ｃ及び接続連結部１０１ｄを含んで構成されている。
【００１６】
接続棒１０１ａは、棒状の導電性部材からなり、接続連結部１０１ｄとの接合部又は接合部近くに絶縁体１０１ｃを有する。棒状とは、円柱状であるか多角形柱上であるかは限定されず、接続固定部１０１ｂと十分な接触面積を確保できる構造のものであればよい。
【００１７】
接続固定部１０１ｂは、電力線２０３ａ〜２０３ｃ又は断路器２０４ａ〜２０４ｃと接続固定された導電性部材からなり、例えば接続固定部１０１ｂと接続棒１０１ａとを接続するときに接続棒１０１ａを導電性部材で挟み込む構造を有する。
【００１８】
絶縁体１０１ｃは、絶縁性部材からなり、接続棒１０１ａと接続連結部１０１ｄとの間を絶縁するために設けられる。絶縁体１０１ｃは、接続棒１０１ａと一連一体として設けられるか、別体として接続棒１０１ａに接続する構成として設けられるかは限定されず、接続棒１０１ａと接続連結部１０１ｄとの間の絶縁を確保できれば良いものとする。
【００１９】
接続連結部１０１ｄは、架台２０６に固定又は可動式に接続されている。ただし、接続連結部１０１ｄは、導電性部材であるか絶縁性部材であるかは限定されず、接続棒１０１ａ又は絶縁体１０１ｃと堅牢に固定される構造を有する。
【００２０】
操作装置１０２は、接続装置１０１を機械的に操作し、接続装置１０１と電力線２０３ａ〜２０３ｃとを開放又は接続する装置である。操作装置１０２は、接続装置１０１及び入出力装置１０８と接続されている。ただし、操作装置１０２は、入出力装置１０８の代わりに遠隔監視制御装置２０２と接続されてもよく、又は、入出力装置１０８及び遠隔監視制御装置２０２のいずれとも接続されずに独立して機能を発揮するものであってもよい。操作装置１０２は、例えば、入出力装置１０８を介して遠隔監視制御装置２０２から制御信号を入力したとき、制御信号が接続装置１０１を開放させる信号（以下、「開放信号Ａ１」と称する。）の場合、接続装置１０１の接続棒１０１ａを接続固定部１０１ｂから開放する。又、制御信号が接続装置１０１を接続させる信号（以下、「接続信号Ｂ１」と称する。）の場合、接続装置１０１の接続棒１０１ａと接続固定部１０１ｂとを接続させる。ここで、制御信号とは、例えば、＋３Ｖの電圧信号を開放信号Ａ１とし、−３Ｖの電圧信号を接続信号Ｂ１とする。操作装置１０２は、例えば、接続装置１０１の接続棒１０１ａと接続固定部１０１ｂとが開放又は接続している状態を、操作装置１０２に設けられた接点部（不図示）が開放又は接続している状態に連動させる。操作装置１０２は、接点部（不図示）が開放又は接続されている状態を電圧の変化で示す信号（以下、「状態信号Ａ１」と称する。）を出力する機能を有する。尚、操作装置１０２は、入出力装置１０８を介して遠隔監視制御装置２０２から制御信号を入力することに限定されず、入出力装置１０８を介して演算制御装置１０９から制御信号を入力されても良い。又、操作装置１０２は、例えば、操作装置１０２の本体に手動操作用のボタン又はハンドルが設けられている。操作員またはオペレータが、ボタン又はハンドルを操作することにより、操作装置１０２は、機械的に動作機構を駆動させて接続棒１０１ａを接続固定部１０１ｂから開放し、又は接続棒１０１ａと接続固定部１０１ｂとを接続させる。
【００２１】
なお、遠隔監視制御装置２０２は、通信回線２０７を介して入出力装置１０８に制御信号を出力し、又は入出力装置１０８から出力される情報を入力する機能を有し、制御所内に設置されている管理端末である。ここで、通信回線２０７とは、例えば、光ケーブルを利用した回線をいう。遠隔監視制御装置２０２は、入出力装置１０８を介して操作装置１０２から状態信号Ａ１を入力してＳ１００の判定を行い、接地電路切替装置１０３から状態信号Ｂ１（後述する）を入力してＳ１０２の判定を行い、測定電路切替装置１０６から状態信号Ｃ１（後述する）を入力してＳ１０４の判定を行う。
【００２２】
第１接地線１０４ａ〜１０４ｄ及び第２接地線１０４ｅは、例えば、被覆を施した銅線である。第１接地線１０４ａ〜１０４ｃは、一端が接続棒１０１ａに接続され、他の一端が接地電路切替装置１０３の接続装置１０１側に接続された接地線である。又、第１接地線１０４ｄは、一端が接地電路切替装置１０３の大地面２０１側に接続され、一端が大地面２０１に接続された接地線である。又、第２接地線１０４ｅは、一端が測定電路切替装置１０６に接続され、一端が大地面２０１に接続された接地線である。第１接地線１０４ａ〜１０４ｃと接続棒１０１ａとの接続は、例えば、第１接地線１０４ａ〜１０４ｃに大きな電流が流れるように、第１接地線１０４ａ〜１０４ｃと接続棒１０１ａとの接触面積をできる限り大きくする。そのため、例えば、第１接地線１０４ａ〜１０４ｃの銅線部を接続棒１０１ａの導電部に巻きつけて、巻きつけている部分全体を覆うように、接続棒１０１ａに適したハンダ部材でハンダ付けをする。第１接地線１０４ａ〜１０４ｃと接地電路切替装置１０３との接続とは、例えば、第１接地線１０４ａ〜１０４ｃの銅線部に丸型端子（不図示）を圧着して接続され、第１接地線１０４ａ〜１０４ｃの丸型端子と接地電路切替装置１０３の接続用の端子とをボルト止めされている状態をいう。第１接地線１０４ｄと接地電路切替装置１０３との接続は、第１接地線１０４ａ〜１０４ｃと同様であるので説明を省略する。第１接地線１０４ｄと大地面２０１との接続は、例えば、アース棒による接地とするが、接地極の形状を限定するものではなく、接地種別に応じた接地抵抗を満足するものであればよい。第２接地線１０４ｅと測定電路切替装置１０６との接続は、例えば、第２接地線１０４ｅの銅線部に丸型端子（不図示）を圧着して接続され、第２接地線１０４ｅの丸型端子と測定電路切替装置１０６の接続用の端子とをボルト止めされている状態をいう。第２接地線１０４ｅと大地面２０１との接続は、第１接地線１０４ｄと同様とし説明を省略する。
【００２３】
接地電路切替装置１０３は、電力線２０３ａ〜２０３ｃと大地面２０１とを開放又は接続する装置である。接地電路切替装置１０３は、第１接地線１０４ａ〜１０４ｃを介して接続装置１０１と接続され、第１接地線１０４ｄを介して大地面２０１と接続される。接地電路切替装置１０３は、例えば、第１接地線１０４ａ〜１０４ｃと第１接地線１０４ｄとの間を開放又は接続する開閉部１０３ａを有する。尚、絶縁抵抗を測定するときは、開閉部１０３ａを開放し、通常時は、開閉部１０３ａを接続する。接地電路切替装置１０３は、入出力装置１０８から制御信号を入力したとき、制御信号が接地電路切替装置１０３を開放させる信号（以下、「開放信号Ａ２」と称する。）の場合、開閉部１０３ａを開放し、制御信号が接地電路切替装置１０３を接続させる信号（以下、「接続信号Ｂ２」と称する。）の場合、開閉部１０３ａを接続させる。接地電路切替装置１０３は、例えば、開閉部１０３ａが開放又は接続している状態を電圧の変化で示す信号（以下、「状態信号Ｂ１」と称する。）を出力する機能を有する。接地電路切替装置１０３は、例えば、入出力装置１０８を介して遠隔監視制御装置２０２からの制御信号によって開閉部１０３ａを開放又は接続される。又、例えば、入出力装置１０８を介して演算制御装置１０９からの制御信号によって開閉部１０３ａを開放又は接続される。さらに、例えば、接地電路切替装置１０３の本体に設けられている操作用のボタン（不図示）又はハンドル（不図示）を操作員またはオペレータが操作することによって開閉部１０３ａを開放又は接続されるものとする。
【００２４】
測定線１０５ａ〜１０５ｃは、被覆を施した銅線である。測定線１０５ａ〜１０５ｃは、一端が第１接地線１０４ａ〜１０４ｃに接続され、他の一端が測定電路切替装置１０６に接続されている。
【００２５】
測定電路切替装置１０６は、測定線１０５ａ〜１０５ｃ及び第２接地線１０４ｅと計測線１０７ａ，１０７ｂとの間を開放又は接続する装置である。測定電路切替装置１０６は、測定線１０５ａ〜１０５ｃを介して接続装置１０１と接続され、第２接地線１０４ｅを介して大地面２０１と接続され、計測線１０７ａ，１０７ｂを介して測定装置１０７と接続される。測定電路切替装置１０６は、例えば、測定線１０５ａ〜１０５ｃ及び第２接地線１０４ｅと計測線１０７ａ，１０７ｂとの間を開放又は接続する開閉部１０６ａを有する。測定電路切替装置１０６は、入出力装置１０８から制御信号を入力したとき、制御信号が測定電路切替装置１０６を開放させる信号（以下、「開放信号Ａ３」と称する。）の場合、開閉部１０６ａを開放し、制御信号が測定電路切替装置１０６を接続させる信号（以下、「接続信号Ｂ３」と称する。）の場合、開閉部１０６ａを接続させる。
【００２６】
開閉部１０６ａは、電力線２０３ａ〜２０３ｃに接続されている測定線１０５ａ〜１０５ｃのうちのいずれか２本と計測線１０７ａ，１０７ｂとを接続（以下、「第１接続状態」と称する。）し、又は電力線２０３ａ〜２０３ｃに接続されている測定線１０５ａ〜１０５ｃのうちのいずれか１本及び第２接地線１０４ｅと計測線１０７ａ，１０７ｂとを接続（以下、「第２接続状態」と称する。）する機能を有する。第１接続状態において、例えば、測定線１０５ａと計測線１０７ａとを接続し、かつ測定線１０５ｂと計測線１０７ｂとを接続した場合、測定装置１０７は、電力線２０３ａと電力線２０３ｂとの相間の絶縁抵抗を測定する。又、例えば、測定線１０５ａと計測線１０７ａとを接続し、かつ測定線１０５ｃと計測線１０７ｂとを接続した場合、測定装置１０７は、電力線２０３ａと電力線２０３ｃとの相間の絶縁抵抗を測定する。第２接続状態において、例えば、測定線１０５ａと計測線１０７ａとを接続し、かつ第２接地線１０４ｅと計測線１０７ｂとを接続した場合、測定装置１０７は、電力線２０３ａの対地間の絶縁抵抗を測定する。又、例えば、測定線１０５ｂと計測線１０７ａとを接続し、かつ第２接地線１０４ｅと計測線１０７ｂとを接続した場合、測定装置１０７は、電力線２０３ｂの対地間の絶縁抵抗を測定する。測定電路切替装置１０６は、例えば、開閉部１０６ａが開放又は接続している状態を電圧の変化で示す信号（以下、「状態信号Ｃ１」と称する。）を出力する機能を有する。測定電路切替装置１０６は、例えば、入出力装置１０８を介して遠隔監視制御装置２０２からの制御信号によって開閉部１０６ａを開放又は接続される。又、例えば、入出力装置１０８を介して演算制御装置１０９からの制御信号によって開閉部１０６ａを開放又は接続される。さらに、例えば、測定電路切替装置１０６の本体に設けられている操作用のボタン（不図示）又はハンドル（不図示）を作業員が操作することによって開閉部１０６ａを開放又は接続されるものとする。
【００２７】
計測線１０７ａ，１０７ｂは、例えば、被覆を施した銅線である。計測線１０７ａ，１０７ｂは、一端が測定電路切替装置１０６に接続され、他の一端が測定装置１０７に接続されている。
【００２８】
測定装置１０７は、絶縁抵抗を測定する装置である。測定装置１０７は、測定電路切替装置１０６及び入出力装置１０８と接続されている。測定装置１０７は、第１接続状態及び第２接続状態において絶縁抵抗を測定することができる。例えば、測定装置１０７は、電力系統２００に直流の１０００Ｖを印加できる。
【００２９】
測定装置１０７は、絶縁抵抗の測定結果を外部（本実施形態では、入出力装置１０８）に出力する機能を有する。出力する情報は、デジタル情報又はアナログ情報のいずれでもよいが入出力装置１０８が入力できる情報の形式とする。測定装置１０７は、例えば、入出力装置１０８を介して遠隔監視制御装置２０２から絶縁抵抗を測定する際の電圧値（以下、「測定電圧」と称する。）を設定される。又、例えば、入出力装置１０８を介して演算制御装置１０９から測定電圧を設定される。さらに、例えば、測定装置１０７の本体に設けられている設定用のボタン（不図示）を操作員またはオペレータが操作することによって測定電圧を設定されるものする。
【００３０】
入出力装置１０８は、例えば、測定装置１０７からの絶縁抵抗測定の結果に関する情報、通信回線２０７を介して遠隔監視制御装置２０２から夫々の装置を制御する信号、演算制御装置１０９から夫々の装置を制御する信号を入出力する装置である。入出力装置１０８は、例えば、操作装置１０２、接地電路切替装置１０３、測定電路切替装置１０６、測定装置１０７、演算制御装置１０９及び遠隔監視制御装置２０２と接続されている。入出力装置１０８は、例えば、ＰＬＣ（プログラマブルロジックコントローラ）で構成されており、アナログ及びデジタルの信号を入出力できる機能を有する。
【００３１】
演算制御装置１０９は、例えば、ＲＯＭ、ＲＡＭ、ＣＰＵを有するマイクロコンピュータで構成され、入出力装置１０８及び記憶装置１１０と接続されている。演算制御装置１０９は、入出力装置１０８から入力される情報に基づいて、電力系統２００の相間及び対地間の絶縁状態を判定する機能を有する。演算制御装置１０９は、入出力装置１０８から入力される情報及び判定の結果に関する情報を記憶装置１１０に出力し、さらに、演算制御装置１０９は、判定の結果に関する情報を入出力装置１０８に出力する機能を有する。又、入出力装置１０８を介して、操作装置１０２、接地電路切替装置１０３、測定電路切替装置１０６及び測定装置１０７を設定又は制御する機能を有する。
【００３２】
記憶装置１１０は、演算制御装置１０９と接続されており、演算制御装置１０９から入力される情報を記憶する装置である。
【００３３】
収容架１１１は、例えば、操作装置１０２、接地電路切替装置１０３、第１接地線１０４ａ〜１０４ｄ、第２接地線１０４ｅ、測定線１０５ａ〜１０５ｃ、測定電路切替装置１０６、測定装置１０７、入出力装置１０８、演算制御装置１０９及び記憶装置１１０を配置して収容する防水処理を施した金属製の箱である。
【００３４】
＝＝＝相間の絶縁抵抗測定手順＝＝＝
図３を参照しつつ、電力線２０３ａ〜２０３ｃの相間の絶縁抵抗測定の手順の一例について説明する。尚、Ｓ１００〜Ｓ１０５のステップを行う主体は、遠隔監視制御装置２０２であり、Ｓ１０７のステップを行う主体は、測定装置１０７であり、Ｓ１０８，Ｓ１１０のステップを行う主体は、演算制御装置１０９であり、Ｓ１０９のステップを行う主体は、記憶装置１１０である。
【００３５】
先ず、遠隔監視制御装置２０２は、接続装置１０１の接続棒１０１ａと接続固定部１０１ｂとが接続されているか否かを判定する（Ｓ１００）。ここで、接続装置１０１の接続棒１０１ａと接続固定部１０１ｂとが接続されていることと、接続装置１０１と電力線２０３ａ〜２０３ｃとが接続されていることとは同意である。接続装置１０１の接続棒１０１ａと接続固定部１０１ｂとが接続されていないと遠隔監視制御装置２０２が判定した場合（Ｓ１００：Ｎｏ）、測定装置１０７と電力系統２００とが接続されていないために絶縁抵抗の測定ができない。そこで、遠隔監視制御装置２０２は、入出力装置１０８に接続信号Ｂ１を出力して接続装置１０１を接続操作する（Ｓ１０１）。接続装置１０１の接続棒１０１ａと接続固定部１０１ｂとが接続されていると遠隔監視制御装置２０２が判定した場合（Ｓ１００：Ｙｅｓ）、遠隔監視制御装置２０２は、接地電路切替装置１０３が開放されているか否かを判定する（Ｓ１０２）。
【００３６】
接地電路切替装置１０３が開放されていないと遠隔監視制御装置２０２が判定した場合（Ｓ１０２：Ｎｏ）、電力系統２００と大地面２０１とが接続されているため絶縁抵抗の測定ができない。そこで、遠隔監視制御装置２０２は、入出力装置１０８に開放信号Ａ２を出力して接地電路切替装置１０３を開放操作する（Ｓ１０３）。
【００３７】
接地電路切替装置１０３が開放されていると遠隔監視制御装置２０２が判定した場合（Ｓ１０２：Ｙｅｓ）で、かつ電力系統２００の相間の絶縁抵抗を測定するモードに設定されていると遠隔監視制御装置２０２が判定した場合（Ｓ１０４：相間）、遠隔監視制御装置２０２は、入出力装置１０８を介して測定電路切替装置１０６に接続信号Ｂ３を出力する。測定電路切替装置１０６の開閉部１０６ａは、接続信号Ｂ３に含まれる情報に基づき、測定線１０５ａ〜１０５ｃのうちで、絶縁抵抗を測定する電力線２０３ａ〜２０３ｃに対応する２本を接続する（Ｓ１０５）。測定装置１０７は、測定を開始する。測定装置１０７は、絶縁抵抗を測定した結果を示す情報（以下、「測定情報」と称する。）を入出力装置１０８に出力する（Ｓ１０７）。演算制御装置１０９は、入出力装置１０８を介して測定情報が入力されると、測定情報に基づき、測定した電力線２０３ａ〜２０３ｃの相間が絶縁状態か否かを判定する（Ｓ１０８）。演算制御装置１０９は、判定した結果を示す情報（以下、「判定情報」と称する。）を記憶装置１１０に出力する。記憶装置１１０は、判定情報を記憶する（Ｓ１０９）。演算制御装置１０９は、入出力装置１０８及び通信回線２０７を介して測定情報及び判定情報を遠隔監視制御装置２０２に出力する（Ｓ１１０）。
【００３８】
なお、上記において、遠隔監視制御装置２０２が行う操作は、演算制御装置１０９で行えるものとする。又、上記において、遠隔監視制御装置２０２で行う操作は、操作員またはオペレータが各装置に対して直接的に操作できるものとする。
【００３９】
＝＝＝対地間の絶縁抵抗測定手順＝＝＝
図３を参照しつつ、電力線２０３ａ〜２０３ｃの相間の絶縁抵抗測定の手順の一例について説明する。尚、Ｓ１００〜Ｓ１０４，Ｓ１０６のステップを行う主体は、遠隔監視制御装置２０２であり、Ｓ１０７のステップを行う主体は、測定装置１０７であり、Ｓ１０８，Ｓ１１０のステップを行う主体は、演算制御装置１０９であり、Ｓ１０９のステップを行う主体は、記憶装置１１０である。
【００４０】
先ず、遠隔監視制御装置２０２は、接続装置１０１の接続棒１０１ａと接続固定部１０１ｂとが接続されているか否かを判定する（Ｓ１００）。ここで、接続装置１０１の接続棒１０１ａと接続固定部１０１ｂとが接続されていることと、接続装置１０１と電力線２０３ａ〜２０３ｃとが接続されていることとは同意である。接続装置１０１の接続棒１０１ａと接続固定部１０１ｂとが接続されていないと遠隔監視制御装置２０２が判定した場合（Ｓ１００：Ｎｏ）、測定装置１０７と電力系統２００とが接続されていないために絶縁抵抗の測定ができない。そこで、遠隔監視制御装置２０２は、入出力装置１０８に接続信号Ｂ１を出力して接続装置１０１を接続操作する（Ｓ１０１）。接続装置１０１の接続棒１０１ａと接続固定部１０１ｂとが接続されていると遠隔監視制御装置２０２が判定した場合（Ｓ１００：Ｙｅｓ）、遠隔監視制御装置２０２は、接地電路切替装置１０３が開放されているか否かを判定する（Ｓ１０２）。
【００４１】
接地電路切替装置１０３が開放されていないと遠隔監視制御装置２０２が判定した場合（Ｓ１０２：Ｎｏ）、電力系統２００と大地面２０１とが接続されているため絶縁抵抗の測定ができない。そこで、遠隔監視制御装置２０２は、入出力装置１０８に開放信号Ａ２を出力して接地電路切替装置１０３を開放操作する（Ｓ１０３）。
【００４２】
接地電路切替装置１０３が開放されていると遠隔監視制御装置２０２が判定した場合（Ｓ１０２：Ｙｅｓ）で、かつ電力系統２００の対地間の絶縁抵抗を測定するモードに設定されていると遠隔監視制御装置２０２が判定した場合（Ｓ１０４：対地間）、遠隔監視制御装置２０２は、入出力装置１０８を介して測定電路切替装置１０６に接続信号Ｂ３を出力する。測定電路切替装置１０６の開閉部１０６ａは、接続信号Ｂ３に含まれる情報に基づき、測定線１０５ａ〜１０５ｃのうちで、絶縁抵抗を測定する電力線２０３ａ〜２０３ｃに対応する１本と、第２接地線１０４ｅとを接続する（Ｓ１０６）。測定装置１０７は、測定を開始する。測定装置１０７は、測定情報を入出力装置１０８に出力する（Ｓ１０７）。演算制御装置１０９は、入出力装置１０８を介して測定情報が入力されると、測定情報に基づき、測定した電力線２０３ａ〜２０３ｃの相間が絶縁状態か否かを判定する（Ｓ１０８）。演算制御装置１０９は、判定情報を記憶装置１１０に出力する。記憶装置１１０は、判定情報を記憶する（Ｓ１０９）。演算制御装置１０９は、入出力装置１０８及び通信回線２０７を介して測定情報及び判定情報を遠隔監視制御装置２０２に出力する（Ｓ１１０）。
【００４３】
なお、上記において、遠隔監視制御装置２０２が行う操作は、演算制御装置１０９で行えるものとする。又、上記において、遠隔監視制御装置２０２で行う操作は、操作員またはオペレータが各装置に対して直接的に操作できるものとする。
【００４４】
＝＝＝絶縁の判定手順＝＝＝
図３におけるＳ１０８の判定の一例について説明する。
【００４５】
Ｓ１０８は、例えば、絶縁抵抗の測定結果と予め設定された設定値との比較に基づいて
判定される。
【００４６】
先ず、操作員またはオペレータは、遠隔監視制御装置２０２に設定値を入力する。遠隔監視制御装置２０２は、演算制御装置１０９に設定値の情報（以下、「設定情報」と称する。）を出力する。演算制御装置１０９は、設定情報を記憶装置１１０に出力する。記憶装置１１０は、設定情報を記憶する。演算制御装置１０９は、測定情報の測定値が設定値を下回ると非絶縁状態と判定する。逆に、測定値が設定値を上回ると絶縁状態と判定する。具体的に、例えば、電力系統２００の漏れ電流が１ｍＡになるように設定値を入力する。すなわち、試験電圧が直流の１０００Ｖの場合、漏れ電流を１ｍＡとすると、Ｒ＝Ｖ÷Ｉの関係式から、設定値（Ｒ）を１ＭΩとする。よって、例えば、測定値が１０Ω（測定値＜設定値）の場合、非絶縁状態と判定し、測定値が１００ＭΩ（測定値＞設定値）の場合、絶縁状態と判定する。
【００４７】
演算制御装置１０９は、測定情報の測定値が設定値を上回った場合、絶縁状態であると判定し、遠隔監視制御装置２０２に絶縁状態を示す情報（以下、「絶縁情報」と称する。）を出力する。遠隔監視制御装置２０２は、絶縁情報を入力すると、表示部（不図示）に、絶縁状態であることを表示する。
【００４８】
又、演算制御装置１０９は、測定情報の測定値が設定値を下回った場合、非絶縁状態であると判定し、遠隔監視制御装置２０２に非絶縁状態を示す情報（以下、「非絶縁情報」と称する。）を出力する。遠隔監視制御装置２０２は、非絶縁情報を入力すると、表示部（不図示）に、非絶縁状態であることを表示する。
【００４９】
尚、演算制御装置１０９は、例えば、絶縁情報及び非絶縁情報に基づき、絶縁状態又は非絶縁状態であることを、本体に設けられたＬＥＤランプ（不図示）で表示できる。
【００５０】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００５１】
例えば、上記実施形態では、電力系統２００において、電力線２０３ａ〜２０３ｃが３相として説明したが、電力線が２相であってもよい。電力線が２相の場合、絶縁抵抗測定装置１００は、例えば、接続棒１０１ａ、接続固定部１０１ｂ、絶縁体１０１ｃ、第１接地線１０４ａ〜１０４ｃ及び測定線１０５ａ〜１０５ｃが電力線２本に対応した数量で構成される。又、開閉部１０３ａは、第１接地線１０４ａ〜１０４ｄの数量に対応した構成とする。又、開閉部１０６ａは、測定線１０５ａ〜１０５ｃの数量に対応した構成とする。
【００５２】
＝＝＝まとめ＝＝＝
以上説明したように、電力系統２００の絶縁抵抗を測定する絶縁抵抗測定装置１００であって、導体からなる接続装置１０１が電力線２０３ａ〜２０３ｃと第１接地線１０４ａ〜１０４ｃとを接続し、且つ電力線２０３ａ〜２０３ｃの相間の絶縁抵抗を測定するために、接地電路切替装置１０３が第１接地線１０４ａ〜１０４ｃと大地との間を開放している状態において、接続装置１０１から分岐された複数の測定線１０５ａ〜１０５ｃと測定線１０５ａ〜１０５ｃの接続先である絶縁抵抗を測定する測定装置１０７との間にあって、測定線１０５ａ〜１０５ｃのうち二本を選択的に前記測定装置１０７と接続する測定電路切替装置１０６と、測定装置１０７から出力される測定結果を取得し、測定結果を出力する入出力装置１０８と、を備えている。
【００５３】
本実施形態によれば、電力系統２００における事故又は電力系統２００の点検において、作業終了後、電力線２０３ａ〜２０３ｃの相間の絶縁抵抗を測定し、その測定結果に関する情報を入出力装置１０８が遠隔監視制御装置２０２に出力する。操作員またはオペレータは、遠隔監視制御装置２０２の表示部（不図示）で相間の絶縁抵抗を確認することができ、事故復旧又は点検作業完了を把握することができる。これにより、事故復旧及び点検作業完了前に、操作員またはオペレータが電力系統２００を試充電し、再短絡事故等を引き起こすヒューマンエラーを防止することが可能となる。
【００５４】
また、測定電路切替装置１０６は、第２接地線１０４ｅを有し、電力線２０３ａ〜２０３ｃの相間の絶縁抵抗を測定しない場合、電力線２０３ａ〜２０３ｃの対地間の絶縁抵抗を測定するために、測定線１０５ａ〜１０５ｃのうち一本を選択的に測定装置１０７と接続し、第２接地線１０４ｅを測定装置１０７と接続する。
【００５５】
本実施形態によれば、電力系統２００における事故又は電力系統２００の点検において、作業終了後、電力線２０３ａ〜２０３ｃと大地面２０１との対地間の絶縁抵抗を測定し、その測定結果に関する情報を入出力装置１０８が遠隔監視制御装置２０２に出力する。操作員またはオペレータは、遠隔監視制御装置２０２の表示部（不図示）で対地間の絶縁抵抗を確認することができ、事故復旧又は点検作業完了を把握することができる。これにより、事故復旧及び点検作業完了前に、操作員またはオペレータが電力系統２００を試充電し、再地絡事故等を引き起こすヒューマンエラーを防止することが可能となる。例えば、操作員またはオペレータは、点検作業時に、作業用接地線で電力線２０３ａ〜２０３ｃを大地面２０１に接地し、点検作業終了時に、作業用接地線を撤去し、試充電する。しかし、作業用接地線を撤去せずに試充電すると、電力線２０３ａ〜２０３ｃが大地面２０１に接地されているために地絡事故を引き起こす。本実施形態によれば、作業員は、試充電する前に、遠隔監視制御装置２０２で作業用接地線が撤去されているか否かを把握できるため、地絡事故を防止できる。
【００５６】
また、接続装置１０１は、一部に絶縁体１０１ｃを有し、接続装置１０１を支持する大地に接地されている導電性の支持部材と接続装置１０１とが絶縁体１０１ｃで絶縁された状態において、第１接地線１０４ａ〜１０４ｃを介して接続装置１０１の導体部が接地電路切替装置１０３と接続される。
【００５７】
本実施形態によれば、接続棒１０１ａと架台２０６とを絶縁できるため、接続棒１０１ａから接地線１０４ａ〜１０４ｃを引き出して、接地電路切替装置１０３が接地線１０４ａ〜１０４ｃと大地面２０１とを接続するか又は非接続とするかを選択することが可能となる。これにより、絶縁抵抗測定をする際に接続棒１０１ａを大地面２０１から開放する作業を短縮できるという効果を奏する。
【００５８】
また、入出力装置１０８から出力される測定結果に基づき電力線２０３ａ〜２０３ｃの相間及び対地間が絶縁されているか否かを判定する演算制御装置１０９を備える。
【００５９】
本実施形態によれば、演算制御装置１０９が設置値と絶縁抵抗測定値とを比較し、絶縁状態か否かを判定する。これにより、操作員またはオペレータは、絶縁状態について絶縁抵抗を示す数値による判断だけではなく、演算制御装置１０９又は遠隔監視制御装置２０２等の表示部（不図示）で絶縁状態の判定結果を視覚的に確認できるためヒューマンエラーを防止することが可能となる。
【符号の説明】
【００６０】
１００    絶縁抵抗測定装置
１０１    接続装置
１０３    接地電路切替装置
１０４ａ〜１０４ｄ    第１接地線
１０４ｅ    第２接地線
１０５ａ〜１０５ｃ    測定線
１０６    測定電路切替装置
１０７    測定装置
１０８    入出力装置
１０９    演算制御装置
２００    電力系統
２０１    大地面
２０３ａ〜２０３ｃ    電力線
【図１】
2018091811.tif 000003
【図２】
2018091811.tif 000004
【図３】
2018091811.tif 000005